(57)【要約】【課題】給水弁と浄水器を備えたものにおいて、それら給水弁と浄水器をユニット化できて取り扱い性を向上でき、しかも給水弁と浄水器の接続部分での芯合わせが容易にできて、その接続部分での水漏れを発生し難くする。【解決手段】本実施形態の洗濯機は、洗濯機本体と、この洗濯機本体内に配設された洗濯槽と、給水源に接続される給水弁と、この給水弁の下流側に接続され当該給水弁から供給される水を浄化する浄水器とを備え、浄水器を通過した水を洗濯槽内に供給する構成のものである。そして、給水弁と浄水器を、洗濯機本体に固定される共通の取付台に設置した。【選択図】図５
2014233364.tif 000002
【特許請求の範囲】
【請求項１】
洗濯機本体と、この洗濯機本体内に配設された洗濯槽と、給水源に接続される給水弁と、この給水弁の下流側に接続され当該給水弁から供給される水を浄化する浄水器とを備え、前記浄水器を通過した水を前記洗濯槽内に供給する構成の洗濯機において、
前記給水弁と前記浄水器を、前記洗濯機本体に固定される共通の取付台に設置したことを特徴とする洗濯機。
【請求項２】
前記洗濯機本体は、前記取付台、並びにこれに設置された前記給水弁および前記浄水器を収納する収納部を備え、
前記取付台は、前記収納部内での高さを調整する高さ調整部を有していることを特徴とする請求項１記載の洗濯機。
【請求項３】
前記取付台に、前記浄水器を通過した水を前記洗濯槽内へ案内する注水部を一体成形により設けたことを請求項１または２記載の洗濯機。
【請求項４】
前記洗濯機本体は、前記取付台、並びにこれに設置された前記給水弁および前記浄水器を収納する収納部と、この収納部を覆うカバーを備え、
前記カバーには前記浄水器の上部を露出させる開口部が設けられ、
前記取付台には、前記開口部と前記浄水器との間に形成される隙間から前記収納部内に浸入する水を受ける第１水受け部と、この第１水受け部にて受けた水を前記洗濯槽側へ導く第１導水部が設けられていることを特徴とする請求項１から３のいずれか一項記載の洗濯機。
【請求項５】
前記取付台には、前記給水弁と前記浄水器との接続部分から漏水した場合の水を受ける第２水受け部と、この第２水受け部にて受けた水を前記洗濯槽側へ導く第２導水部が設けられていることを特徴とする請求項１から４のいずれか一項記載の洗濯機。
【請求項６】
前記収納部内に、前記カバーにおける前記開口部と前記浄水器との間に形成される前記隙間から前記収納部内に浸入する水を前記第１水受け部内に案内する水案内部材を備えたことを特徴とする請求項４記載の洗濯機。
【請求項７】
前記浄水器は浄水器ケースを備え、
前記取付台に、前記浄水器ケースを一体成形により設けたことを特徴とする請求項１から６のいずれか一項記載の洗濯機。
【請求項８】
前記給水弁は、当該給水弁と前記浄水器との接続部に対して当該給水弁を挟んだ反対側に電気接続部を備えていることを特徴とする請求項１から７のいずれか一項記載の洗濯機。
【発明の詳細な説明】
【技術分野】
【０００１】
本発明の実施形態は洗濯機に関する。
【背景技術】
【０００２】
洗濯機において、機外の給水源である例えば水道の蛇口にホースを介して接続される給水弁と、この給水弁から供給される水を浄化する浄水器（不純物除去装置）を備え、その浄水器を通過した水を洗濯槽内へ供給する構成のものが提案されている。従来では、前記給水弁と浄水器は、洗濯機本体の後部に設けられた後パネルの収納部にそれぞれ個別に取り付けられていて、その収納部内でこれら給水弁と浄水器とが接続されている。
【０００３】
しかしながら、給水弁と浄水器を収納部内にそれぞれ個別に取り付ける構成の場合、それら給水弁と浄水器を独立して取り扱う必要がある。また、給水弁と浄水器を接続する際に、接続部同士の芯合わせがし難く、接続部分での水漏れが発生しやすいという課題がある。
【先行技術文献】
【特許文献】
【０００４】
【特許文献１】特許第３７２７２７９号公報
【発明の概要】
【発明が解決しようとする課題】
【０００５】
そこで、給水弁と浄水器を備えたものにおいて、それら給水弁と浄水器をユニット化できて取り扱い性を向上でき、しかも給水弁と浄水器の接続部分での芯合わせが容易にできて、その接続部分での水漏れを発生し難くできる洗濯機を提供する。
【課題を解決するための手段】
【０００６】
本実施形態の洗濯機は、洗濯機本体と、この洗濯機本体内に配設された洗濯槽と、給水源に接続される給水弁と、この給水弁の下流側に接続され当該給水弁から供給される水を浄化する浄水器とを備え、浄水器を通過した水を洗濯槽内に供給する構成のものである。そして、給水弁と浄水器を、洗濯機本体に固定される共通の取付台に設置した。
【図面の簡単な説明】
【０００７】
【図１】第１実施形態による洗濯機上部の外観斜視図
【図２】図１のＸ２−Ｘ２線に沿う縦断側面図
【図３】バックカバーを外した状態で給水弁・浄水器ユニットを配設した部分を後方から見た概略的な斜視図
【図４】給水弁・浄水器ユニットを示す図で、（ａ）は正面図、（ｂ）は左側面図、（ｃ）は右側面図、（ｄ）は平面図、（ｅ）は底面図
【図５】取付台と給水弁と浄水器ケースをユニット化した状態での斜視図
【図６】取付台と給水弁と浄水器ケースの分解斜視図
【図７】浄水器の分解斜視図
【図８】第２実施形態による図５相当図
【図９】浄水器ケースを一体化した取付台と給水弁の分解斜視図
【発明を実施するための形態】
【０００８】
以下、複数の実施形態による洗濯機を図面に基づいて説明する。なお、各実施形態において実質的に同一の構成部位には同一の符号を付し、説明を省略する。
（第１実施形態）
第１実施形態について図１から図７を参照して説明する。図１に示す洗濯機は、縦軸型の全自動洗濯機である。この洗濯機の洗濯機本体１の外殻は、矩形の筒状をなす外箱２と、この外箱２の上部に装着されたトップカバー３を備えている。トップカバー３は、例えば合成樹脂製で、矩形枠状をなしていて、中央部に洗濯物出入口４（図２参照）を有している。トップカバー３の上面部には、その洗濯物出入口４を開閉する外蓋５が設けられている。外蓋５は、この場合二つ折れで、後端部が図示しない軸を介してトップカバー３に回動可能に支持されている。トップカバー３の上面の前部には、操作パネル６が設けられている。操作パネル６の裏側には、図示はしないが制御装置が設けられている。制御装置は例えばマイクロコンピュータを主体に構成されていて、操作パネル６における操作に基づき洗濯機の動作を制御する機能を有している。
【０００９】
トップカバー３の後部には、図２および図３に示すように収納部７が設けられていて、この収納部７内に、給水弁８や浄水器９、さらには図示はしないが水位センサなどが収納されている。収納部７は、この場合、上面と後面が開放されている。トップカバー３には、収納部７の上面と後面の開口部を覆うようにバックカバー１０が着脱可能に装着されている。バックカバー１０は、収納部７を覆うカバーとして機能する。
【００１０】
外箱２内には、図２に示すように洗濯槽１１が配設されている。洗濯槽１１は、この場合、貯水が可能な水槽１２と、この水槽１２内に収容された回転槽１３との二槽構造となっている。水槽１２は、円筒容器状をなしていて、外箱２に図示しない弾性吊持機構により弾性的に吊持されている。回転槽１３は、水槽１２と同様に円筒容器状をなしていて、図示はしないが周壁部に多数の脱水孔が形成されている。回転槽１３の上面開口部は前記洗濯物出入口４の下方に位置していて、前記洗濯物出入口４を通してこの回転槽１３に洗濯物が出し入れ可能に収容される。回転槽１３内の底部には、図示はしないが洗濯物を撹拌する撹拌体が設けられている。回転槽１３および撹拌体は、図示しない駆動手段により回転される。洗濯物を洗う洗い時やすすぎ時には撹拌体が低速度で正逆回転される。脱水時には回転槽１３が一方向へ高速回転され、洗濯物が遠心脱水される。
【００１１】
水槽１２の上部には環状をなす槽カバー１４が装着されている。回転槽１３の上部には、バランスリング１５が装着されている。水槽１２の底部には、図示はしないが排水口が設けられ、この排水口に排水弁を介して排水ホースが接続されている。排水弁が開放されることに伴い、水槽１２内ひいては回転槽１３内の水は、排水弁および排水ホースを介して機外に排出される。
【００１２】
次に、前記給水弁８と浄水器９の構造および取付構造について、図３から図７も参照して説明する。給水弁８と浄水器９は共通の取付台１６に設置され、給水弁・浄水器ユニット１７としてユニット化された状態で前記収納部７内に配設されている。
【００１３】
このうち、取付台１６は、例えば合成樹脂により一体成形されたものであり、図６に示すように左右方向にやや長い矩形状の容器状をなしていて、前部に注水部１８が一体に設けられている。この取付台１６には、右側に前後および右側面が壁により囲まれた容器状の第１水受け部２０が設けられ、左側にも前後および左側面が壁により囲まれた容器状の第２水受け部２１が設けられている。この場合、第１水受け部２０と第２水受け部２１とを左右に分ける区画壁２５には切欠部２５ａが形成されていて、その切欠部２５ａを通して右側の第１水受け部２０と左側の第２水受け部２１は連通状態とされている。第１水受け部２０内には、ねじ取付穴２２ａを有する浄水器取付部２２がこの場合３箇所に設けられている。取付台１６の底部において第１水受け部２０の底部を構成する部位には、図４（ｅ）に示すように、前部の注水部１８寄りに位置させて貫通孔からなる第１排水口２３が２個形成されている。第１排水口２３は、第１水受け部２０にて受けた水を下方の洗濯槽１１に導く第１導水部として機能する。
【００１４】
取付台１６における第２水受け部２１内には、ねじ取付穴２４ａを有する給水弁取付部２４がこの場合前後２箇所に設けられている。この場合、第１水受け部２０と第２水受け部２１とは連通状態となっているため、第２水受け部２１にて受けた水も前記第１排水口２３から洗濯槽１１に導かれるようになる。第１排水口２３は、第２水受け部２１の水を洗濯槽１１に導く第２導水部を兼ねている。取付台１６の底部下面には、第２水受け部２１の下方に位置させてリブからなる高さ調整部２６（図４（ｂ）、（ｃ）、（ｅ）参照）が下方に向けて一体に突設されている。この高さ調整部２６は、図２に示すように取付台１６を収納部７内に配設した際に、収納部７内における取付台１６のうち第２水受け部２１側の高さを所定位置に保持するためのもので、下端部が収納部７内の受部７ａに当接している。
【００１５】
取付台１６の前部に設けられた注水部１８は、前方を向いた矩形状の後面壁１８ａの周囲を周囲壁１８ｂで囲んだ構成となっていて、後面壁１８ａの上部に、前後方向に貫通した接続口２７が一体に設けられている。接続口２７は、円筒状をなしていて、後方の第１水受け部２０内に向けて突出している。注水部１８の前面には、図２に示すように、接続口２７を前方から覆うように注水カバー２８が着脱可能に装着される。注水部１８と注水カバー２８との間の下部には注水口２９が形成されている。この注水口２９は、図２に示すように回転槽１３の上面開口部の上方に位置していて、接続口２７から供給される水が、その注水口２９を通して前記洗濯槽１１内に供給されるようになっている。
【００１６】
給水弁８は、電磁弁式のもので、図６に示すように、弁本体３１と、水の入口となるホース接続口３２と、水の出口となる出水口３３と、電気接続部３４を備えている。弁本体３１の内部に、図示しない電磁弁が設けられている。ホース接続口３２は、円筒状をなしていて、弁本体３１の上部に上向きに設けられている。このホース接続口３２には、機外の給水源である図示しない水道の蛇口に接続された給水ホースの先端部が挿入接続される。出水口３３は、円筒状をなしていて、弁本体３１において図６の右側部に右向きに設けられている。電気接続部３４は、弁本体３１において前記出水口３３とは反対側となる、図６の左側部に前向き設けられている。弁本体３１の上部には、前後に被取付部３５が一体に設けられている。各被取付部３５には、前後方向に長く形成されたねじ挿通用のスリット３６が設けられている。そして、給水弁８は、弁本体３１を取付台１６の第２水受け部２１の上方に位置させた状態で、各被取付部３５のスリット３６に挿通したねじＳ１（図３参照）の先端部を、対応する給水弁取付部２４のねじ取付穴２４ａにねじ込むことにより、取付台１６上に設置される。なお、図４および図５においては、取付用のねじＳ１は図示を省略している。
【００１７】
浄水器９は、図７に示すように、浄水器ケース３９と、抗菌剤４０を収容した抗菌剤ケース４１と、ろ過用のフィルタ４２と、このフィルタ４２を取り付けるフィルタコア４３と、キャップ４４とを備えている。このうち浄水器ケース３９は、例えば合成樹脂製で、上面が開口した円筒容器状をなしている。この浄水器ケース３９の下部には、給水弁８側となる左側部に円筒状をなす接続口４５が左向きに突設され、また、注水部１８側となる前部に円筒状をなす出水口４６が前向きに突設されている。また、浄水器ケース３９の下部には、取付台１６の前記浄水器取付部２２に対応して３個の被取付部４７が一体に設けられている。各被取付部４７には、ねじ挿通孔４７ａが形成されている。
【００１８】
浄水器ケース３９内には、図２に示すように、前記接続口４５と連通する案内筒４８が一体に設けられている。案内筒４８は、上に向けられている。抗菌剤４０を収容する抗菌剤ケース４１は、中央部に円筒状の嵌合部４９を有していて、この嵌合部４９を案内筒４８に嵌合させることにより、浄水器ケース３９内の下部において案内筒４８の周りに配置されている。抗菌剤ケース４１には、収容した抗菌剤４０に水が接触するように通水孔４１ａが形成されている。ここで用いられる抗菌剤４０の成分などについては、後述する。
【００１９】
フィルタコア４３は、浄水器ケース３９内において抗菌剤ケース４１の上方に配置されている。このフィルタコア４３は、円板状の天井壁５０の下部に開口部からなる複数の通水部５１を有する円筒状のフィルタ装着部５２を一体に有している。フィルタ装着部５２の外周面側には、当該フィルタ装着部５２を外側から覆うようにフィルタ４２が装着されている。浄水器ケース３９内において、フィルタ４２の外面と浄水器ケース３９の内周面との間には空間部５３（図２参照）が形成されている。キャップ４４は、浄水器ケース３９の上部に着脱可能に装着され、その装着状態で浄水器ケース３９の上面開口部を閉鎖している。浄水器ケース３９の外周面の上部には鍔部３９ａが一体に設けられていて、浄水器ケース３９の上部に装着されたキャップ４４と鍔部３９ａとの間にシール部材５４（図２参照）が設けられている。
【００２０】
浄水器ケース３９は、左部の接続口４５を給水弁８の出水口３３に嵌合接続するとともに、前部の出水口４６を注水部１８の接続口２７に挿入接続した状態で、３箇所の各被取付部４７のねじ挿通孔４７ａに挿通したねじＳ２（図３参照）を、対応する浄水器取付部２２のねじ取付穴２２ａにねじ込むことにより、取付台１６上に設置される。なお、この場合も図４および図５においては、取付用のねじＳ２は図示を省略している。
【００２１】
取付台１６上に給水弁８と浄水器９（浄水器ケース３９）を設置することでユニット化され、給水弁・浄水器ユニット１７として取り扱うことができる。そして、この給水弁・浄水器ユニット１７ごと収納部７内に配設することができる。なお、給水弁・浄水器ユニット１７とは、この場合、少なくとも取付台１６と給水弁８と浄水器ケース３９がユニット化されたものをいい、浄水器９における抗菌剤ケース４１、フィルタ４２、フィルタコア４３、キャップ４４は後から組み込んでもよい。
【００２２】
取付台１６上における第１水受け部２０上には、取付台１６とは別体の水案内部材５５が着脱可能に配置される。この水案内部材５５は、図６に示すように前面側と上下両面側が開放していて、上から見て略コ字状をなしている。水案内部材５５は、図５に示すように第１水受け部２０上に配置した状態で、浄水器ケース３９を後部および左右両側部から囲んだ形態となっている。なお、給水弁８の電気接続部３４には、図示はしないが電源供給用および制御用のコネクタが接続される。給水弁・浄水器ユニット１７を収納部７内に配設した図２の状態では、注水口２９、および取付台１６の前記第１排水口２３は、洗濯槽１１（回転槽１３）の上面開口部の上方に位置している。
【００２３】
収納部７を覆うバックカバー１０は、図２に示すように上面部１０ａと後面部１０ｂを一体に有したＬ字状をなしていて、上面部１０ａに、給水弁８におけるホース接続口３２の上部を露出させるための円形の開口部（図示せず）が形成されているとともに、浄水器９の上部を露出させるための円形の開口部５７（図２参照）が形成されている。このうち、特に開口部５７の内周面と浄水器ケース３９の外周面との間には、隙間５８が形成されている。取付台１６上に配置された水案内部材５５の上部は、浄水器９側の開口部５７の外側に位置している。このため、仮にその開口部５７と浄水器９との間の隙間５８から水が収納部７内に浸入したとしても、水案内部材５５により水が当該水案内部材５５の外側へ飛散することが防止され、水は第１水受け部２０内に案内されるようになる。
【００２４】
ここで、前記抗菌剤４０の成分などについて説明する。本実施形態における抗菌剤４０は、図２に示すように多数個のブロック状をなしていて、水に浸すと抗菌成分を徐々に溶出する水徐溶性を有している。この抗菌剤４０は、抗菌性を有する金属元素とリン酸系ガラスとからなり、所望の抗菌成分を溶出するに好適とする銀酸化物が約３重量パーセント、酸化亜鉛が約２７重量パーセント、酸化コバルトが約１重量パーセント、およびリン酸カルシウムが約６９重量パーセントから構成されている。
【００２５】
上記各成分は、次のような機能に基づき設定されている。まず、銀酸化物は抗菌性を有する銀イオンを抗菌成分として水中に溶出し、洗濯水の除菌作用や洗濯中の洗濯物に抗菌効果を付与する。この銀酸化物の含有量が０．１重量パーセント以下であると実質的な抗菌作用が得られなくなり、５重量パーセント以上であると光によって褐色に変色し易くなり、製造コストも高くなる。よって、銀酸化物の含有量は、０．１〜５重量パーセントの範囲内で設定することが好ましい。
【００２６】
酸化亜鉛は、主として銀酸化物の褐色化を防止する機能を担うものである。なお、この酸化亜鉛から溶出される亜鉛イオンにも、銀イオンほどではないが抗菌作用が認められることから、抗菌成分としての機能も担う。ただし、酸化亜鉛も若干ではあるが変色することがあるため、その含有量は５０重量パーセント以下とすることが好ましい。
【００２７】
酸化コバルトは、抗菌剤４０自体を青色に着色するための金属酸化物として添加されるもので、極めて少ない含有量でも抗菌剤４０を鮮やかな青色に着色することができる。そして、上記リン酸系ガラスは、溶解性ガラスとしてリン酸成分（Ｐ２０５）を主成分としているが、このリン酸成分（Ｐ２０５）は、ガラスの透明性を維持したり、銀イオンを洗濯水中に徐溶させたりする効果を有する。ただし、濃度が１０重量パーセントを下回ると機械的強度（硬さ）を維持できなくなるおそれがあり、一方、８０重量パーセントを超えても脆くなり機械的強度の低下を招くおそれがある。そのため、リン酸成分（Ｐ２０５）の含有量は、抗菌剤４０全体の１０〜８０重量パーセントが好ましく、３０〜７０重量パーセントとするのが好適である。しかも、このリン酸成分は水に溶解すると、洗濯水である水道水中のカルシウムやマグネシウムに対してキレート構造（Ｃａ２Ｐ６０１８２−、Ｍｇ２Ｐ６０１８２−）を取るので、カルシウム分の水溶解性を高め、界面活性剤の効果を高めて洗浄性能の向上を図ることができる。
【００２８】
次に上記構成の作用を説明する。操作パネル６における操作により例えば洗濯運転の標準コースが選択された場合、制御装置は、洗い行程、複数回のすすぎ動作をするすすぎ行程、および脱水行程を順に実行する。そのうちの洗い行程およびすすぎ行程の給水動作においては、給水弁８を開放動作させる。すると、水道の蛇口から水道水が、給水ホース、給水弁８の弁本体３１内を通り、出水口３３から浄水器ケース３９内に供給される。浄水器ケース３９内に供給された水は、図２に矢印Ａで示すように、浄水器ケース３９内の案内筒４８を上向きに流れ、フィルタコア４３の通水部５１を通り、フィルタ４２を内から外に向けて通過して空間部５３内に出た後、抗菌剤ケース４１内を通過し、浄水器ケース３９内の下部の出水口４６から注水部１８側へ供給される。このとき、水がフィルタ４２を通過する際にろ過され、不純物が取り除かれる。また、水が抗菌剤ケース４１内を通過する際に抗菌剤４０と接触することで、抗菌剤４０の抗菌成分がその水に溶出する。したがって、注水部１８側に供給される水は、ろ過されるとともに、抗菌成分が含まれるようになる。そして、注水部１８内に供給された水は、下部の注水口２９から洗濯槽１１内に供給されるようになる。
【００２９】
また、上記構成において、バックカバー１０周辺に水が掛かると、バックカバー１０の開口部５７と浄水器９との間の隙間５８から収納部７内に水が浸入することがある。このような場合、取付台１６における第１水受け部２０上に水案内部材５５を配置しているので、隙間５８から収納部７内に浸入した水は、図２に矢印Ｂで示すように、水案内部材５５に案内されて第１水受け部２０上に案内される。このため、隙間５８から収納部７内に浸入した水が、水案内部材５５の外側の収納部７内に浸入することを防止することができる。第１水受け部２０上に受けられた水は、第１排水口２３から落下して洗濯槽１１内に導かれるようになる。
【００３０】
また、上記構成において、万一給水弁８の出水口３３と浄水器９の接続口４５との接続部分から水漏れが発生した場合、その水は、取付台１６における第２水受け部２１にて受けられる。その受けられた水は、最終的に第１水受け部２０側の第１排水口２３から落下して洗濯槽１１内に導かれるようになる。
【００３１】
上記した実施形態によれば次のような作用効果を得ることができる。
まず、給水弁８と浄水器９を備えたものにおいて、これら給水弁８と浄水器９を、洗濯機本体１の収納部７に固定される共通の取付台１６に設置する構成とした。これにより、給水弁８と浄水器９を共通の取付台１６に設置したユニットとして取り扱うことが可能になり、取り扱いが容易となる。また、給水弁８の出水口３３と浄水器９の接続口４５との接続部分の芯合わせが容易にできるようになり、その接続部分での水漏れを発生し難くできる利点もある。
【００３２】
取付台１６は、収納部７内での高さを調整する高さ調整部２６を有しているので、収納部７内での取付台１６の高さ方向の位置合わせができ、ひいては給水弁８および浄水器９の高さ方向の位置合わせができる利点がある。
【００３３】
取付台１６に注水部１８を一体成形により設けたことにより、取付台１６と注水部１８を別部材で構成する場合に比べて部品点数を少なくできて、組立性の向上を図ることができる。また、浄水器９の出水口４６と注水部１８の接続口２７との接続部分からの水漏れも極力防止することができる。
【００３４】
取付台１６には、バックカバー１０の開口部５７と浄水器９との間に形成される隙間５８から収納部７内に浸入する水を受ける第１水受け部２０と、この第１水受け部２０にて受けた水を洗濯槽１１側へ導く第１排水口２３が設けられている。この構成によれば、前記隙間５８から収納部７内に浸入した水は、第１水受け部２０および第１排水口２３を通って洗濯槽１１へ導かれるので、隙間５８から収納部７内に浸入した水が、収納部７内に収納された他の電気部品に悪影響を及ぼすことを極力防止できる。
【００３５】
収納部７内に、バックカバー１０における開口部５７と浄水器９との間に形成される隙間５８から収納部７内に浸入する水を第１水受け部２０内に案内する水案内部材５５を備えている。この構成においても、前記隙間５８から収納部７内に浸入した水は、水案内部材５５により第１水受け部２０へ案内されるので、隙間５８から収納部７内に浸入した水が、収納部７内に収納された他の電気部品に悪影響を及ぼすことを極力防止できる。
【００３６】
取付台１６には、給水弁８と浄水器９との接続部分から漏水した場合の水を受ける第２水受け部２１が設けられ、この第２水受け部２１にて受けられた水は、第１水受け部２０を通り前記第１排水口２３から洗濯槽１１側へ導かれるようになる。この構成によれば、給水弁８と浄水器９との接続部分から漏水した場合の水も第１排水口２３から洗濯槽１１へ導かれるので、前記水で収納部７内に収納された他の電気部品に悪影響を及ぼすことを極力防止できる。なお、取付台１６において、第１水受け部２０と第２水受け部２１とが連通していない構成の場合には、第２水受け部２１に、第１排水口２３と同様な第２排水口２５を設けることで、同様な効果を得ることができる。
【００３７】
給水弁８は、当該給水弁８の出水口３３と浄水器９の接続口４５との接続部分に対して弁本体３１を挟んだ反対側に電気接続部３４を備えている。この構成によれば、前記接続部分と電気接続部３４との間に弁本体３１が存する形態となるので、仮に前記接続部分で漏水が発生しても、水が電気接続部３４に掛かり難くすることができる利点がある。
【００３８】
（第２実施形態）
次に第２実施形態について図８および図９を参照して説明する。この実施形態では、例えば合成樹脂製の取付台６１に、注水部１８と、浄水器ケース６２を一体成形により設けている。この場合、取付台６１とは別に、給水弁８を支持する受部材６３を設けるようにしている。受部材６３には、２個の給水弁取付部２４が一体に設けられている。このような構成とした場合には、浄水器ケース６２を取付台６１に取り付ける作業がなくなり、その分、取付用のねじを削減できるとともに、組立工数を削減することが可能となる。また、浄水器ケース６２と注水部１８との接続部分からの水漏れを防止することができる利点もある。
【００３９】
（その他の実施形態）
浄水器９としては、少なくとも水を浄化する機能があるものであればよく、抗菌剤４０は必要に応じて設ければよい。
第１導水部としては、取付台１６に形成した貫通孔からなる第１排水口２３で構成したが、貫通孔に限られず、例えば溝または樋により構成し、第１水受け部２０および第２水受け部２１で受けた水を洗濯槽１１へ導くことができればよい。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４１】
以上説明したように本実施形態の洗濯機によれば、給水弁と浄水器を備えたものにおいて、これら給水弁と浄水器を、洗濯機本体の収納部に固定される共通の取付台に設置する構成とした。これにより、給水弁と浄水器を共通の取付台に設置したユニットとして取り扱うことが可能になり、取り扱いが容易となる。また、給水弁と浄水器との接続部分の芯合わせが容易にできるようになり、その接続部分での水漏れを発生し難くできる利点がある。
【符号の説明】
【００４２】
図面中、１は洗濯機本体、３はトップカバー、７は収納部、８は給水弁、９は浄水器、１０はバックカバー（カバー）、１１は洗濯槽、１２は水槽、１３は回転槽、１６は取付台、１７は給水弁・浄水器ユニット、１８は注水部、２０は第１水受け部、２１は第２水受け部、２２は浄水器取付部、２３は第１排水口（第１導水部、第２導水部）、２４は給水弁取付部、２６は高さ調整部、２７は接続口、２８は注水カバー、２９は注水口、３１は弁本体、３２はホース接続口、３３は出水口、３４は電気接続部、３５は被取付部、３９は浄水器ケース、４２はフィルタ、４５は接続口、４６は出水口、４７は被取付部、５５は水案内部材、５７は開口部、５８は隙間、６１は取付台、６２は浄水器ケースを示す。
【図１】
2014233364.tif 000003
【図２】
2014233364.tif 000004
【図３】
2014233364.tif 000005
【図４】
2014233364.tif 000006
【図５】
2014233364.tif 000007
【図６】
2014233364.tif 000008
【図７】
2014233364.tif 000009
【図８】
2014233364.tif 000010
【図９】
2014233364.tif 000011